(57)【特許請求の範囲】
【請求項１】
廊下等、一方向に連続する空間への内装設備の施工工法であって、
前記空間の壁を形成する壁パネルを所定の位置に設置する第一の工程と、
前記一方向への長さ寸法が後付け天井ユニットよりも短い先付け天井ユニットを、前記空間の連続する方向において所定間隔ごとに前記壁パネルに設置する第二の工程と、
洗面やトイレの入り口部分に仮置き天井ユニットを設置し、次いで配管配線を束ねて巻いたリールを前記仮置き天井ユニット上に載置して、前記仮置き天井ユニット上のリールから配管等を巻き出して前記先付け天井ユニットの上面側に配管等を通す第三の工程と、
互いに前後する前記先付け天井ユニット間に後付け天井ユニットを取り付ける第四の工程と、
からなることを特徴とする内装設備の施工工法。
【請求項２】
請求項１記載の内装設備の施工工法において、前記壁パネルが、該壁パネルの骨格をなす下地材を、壁の一面側を形成するボードに予め一体に取り付けた構成からなり、
前記第一の工程で前記壁パネルを設置した後には、壁内に配線等を行い、しかる後に前記壁の他面側を形成するボードを前記壁パネルに取り付けることを特徴とする内装設備の施工工法。
【請求項３】
請求項１または２記載の内装設備の施工工法において、前記第一の工程で前記壁パネルを設置するに際しては、前記壁パネルや、出入口や開口部等を形成する枠体を、前記空間の一端側から他端側に向けて順次組み付けていく構成としたことを特徴とする内装設備の施工工法。
【発明の詳細な説明】
【０００１】
【発明の属する技術分野】
本発明は、例えばマンションの各住戸内の廊下等を施工するときに用いて好適な、内装設備の施工工法に関するものである。
【０００２】
【従来の技術】
一般に、マンション等の建物は、建物の躯体を構成する柱、梁、スラブ等を形成し、これら柱、梁、スラブによって複数の住戸を区切って形成する。そして、各住戸においては、天井材、壁材等の内装工事を施すとともに、電気配線、給水給湯，排水，ガス，換気用の配管等の設備工事を行っている。
【０００３】
電気配線、空調配管や換気ダクトなどの配線・配管は、それが設置される天井や、壁部分の位置のコンクリートスラブの下部に、内装工事に先行してまとめて取り付けられている。そして、内装工事の進捗に応じて、配線・配管の引き出し、正規の位置へのセット等が行われる。
【０００４】
【発明が解決しようとする課題】
しかしながら、上述したような従来の技術には以下のような問題が存在する。
すなわち、上記したような内装・設備工事は、通常下地材や壁ボード，天井ボードの取付施工は内装業者が行い、配管や配線作業については、ガス、水道、電気等それぞれ専門の業者が個別に行うようになっている。
このため、実際の現場においては、複数の業者が同時に工事を行うと作業が錯綜してしまうため、通常はそれぞれの業者の工事が重複しないようスケジュールを立てているが、これでは言うまでもなくロスが多く、効率が悪い。また前の業者の作業工程が完了しない限り次の業者が作業を行えないために、作業の「待ち」が発生することもある。このように、従来の工事の進め方ではロスが多く、工期および施工コストの面で改善の余地があった。
【０００５】
また、天井や壁等を形成するに際しては、多数の下地材を組み、さらにこの下地材に壁ボードや天井ボード等の仕上げ材を取り付けなければならず、非常に手間がかかるものとなっている。
【０００６】
本発明は、以上のような点を考慮してなされたもので、施工の効率化を図り、工期を短縮するとともに施工コストを削減することのできる内装設備の施工工法を提供することを課題とする。
【０００７】
【課題を解決するための手段】
請求項１に係る発明は、廊下等、一方向に連続する空間への内装設備の施工工法であって、前記空間の壁を形成する壁パネルを所定の位置に設置する第一の工程と、前記一方向への長さ寸法が後付け天井ユニットよりも短い先付け天井ユニットを、前記空間の連続する方向において所定間隔ごとに前記壁パネルに設置する第二の工程と、洗面やトイレの入り口部分に仮置き天井ユニットを設置し、次いで配管配線を束ねて巻いたリールを前記仮置き天井ユニット上に載置して、前記仮置き天井ユニット上のリールから配管等を巻き出して前記先付け天井ユニットの上面側に配管等を通す第三の工程と、互いに前後する前記先付け天井ユニット間に後付け天井ユニットを取り付ける第四の工程と、からなることを特徴としている。
【０００８】
請求項２に係る発明は、請求項１記載の内装設備の施工工法において、前記壁パネルが、該壁パネルの骨格をなす下地材を、壁の一面側を形成するボードに予め一体に取り付けた構成からなり、前記第一の工程で前記壁パネルを設置した後には、壁内に配線等を行い、しかる後に前記壁の他面側を形成するボードを前記壁パネルに取り付けることを特徴としている。
【０００９】
請求項３に係る発明は、請求項１または２記載の内装設備の施工工法において、前記第一の工程で前記壁パネルを設置するに際しては、前記壁パネルや、出入口や開口部等を形成する枠体を、前記空間の一端側から他端側に向けて順次組み付けていく構成としたことを特徴としている。
【００１２】
【発明の実施の形態】
以下、本発明に係る内装設備の施工工法の実施の形態の一例、ならびにそれに用いる内装ユニットおよび天井ユニットの一例を、図１ないし図１１を参照して説明する。ここでは、本発明を、例えばマンションの住戸内の廊下に適用する場合の例を用いて説明する。
【００１３】
図１に示すものは、マンションの住戸の平面レイアウト図であり、この図において、符号Ｊは住戸、Ｔは共用廊下、Ｒは住戸Ｊ内に複数配置された部屋、Ｃは共用廊下Ｔ側の出入口と住戸Ｊ内の各部屋Ｒとの間の住戸内廊下（空間）、をそれぞれ示している。
【００１４】
住戸Ｊを構築するには、まずマンションの躯体を構成する柱１，梁（図示なし），スラブ２，外壁３，戸境壁４等を、鉄筋コンクリート造、鉄骨鉄筋コンクリート造、鉄骨造等により構築する。
【００１５】
続いて、このようにして形成されたスラブ２，外壁３，戸境壁４等によって区分されて形成された住戸Ｊにおいて、以下のように内装設備工事を行う。
【００１６】
［壁パネルの設置］
まず、図２に示すように、住戸内廊下Ｃの両側の壁を形成すべき位置に沿って、上階のスラブ（図示なし）の下面と、当該階のスラブ２の上面とに、木製の上部ランナー６，６、下部ランナー７，７を設置する。さらに、これら上下の上部ランナー６および下部ランナー７の間には、扉枠取付部や壁コーナー部等に例えば木製の支柱８を取り付ける。
【００１７】
次いで、これら上部ランナー６，下部ランナー７，支柱８に、住戸内廊下Ｃの壁面を形成する壁パネル１０や、各部屋Ｒへの出入口を形成する扉枠１１等を固定して設置する。
【００１８】
図２および図３に示すように、この壁パネル１０は、住戸内廊下Ｃ側の壁面を構成する各種ボード材からなる壁面ボード（ボード）１０ａと、木製の角材等からなる下地材１０ｂとが一体化されたもので、工場等において予め製作されている。下地材１０ｂは、壁面ボード１０ａの反対面側に壁面ボード１２を取り付けるための機能と、両面へのボード施工後は壁の強度そのものを担う支柱としての機能等を有し、従来は先付けしていたものである。
【００１９】
また、図２に示したように、この壁パネル１０には、配線を係止するための配線用取付具１３が、天井面よりも上方となる位置に予め取り付けてある。この配線用取付具１３の形式については具体的に何ら限定するものではないが、配線作業を容易に行うため、ワンタッチで配線を係止できるような構造のものが望ましい。
【００２０】
図４に示すように、扉枠１１も、工場等において予め所定形状に組み立てられたものであり、ここでは、その上端の高さが、住戸内廊下Ｃの天井レベルＬと略等しくなるよう設定されている。
【００２１】
これら壁パネル１０や扉枠１１の設置に際しては、まず、住戸内廊下Ｃの一端側から、壁パネル１０や扉枠１１を順次建て込んでいくようにする。すなわち、図３および図５に示すように、住戸内廊下Ｃの一端部に位置する壁パネル１０Ａを、所定の位置にセットして上部ランナー６，下部ランナー７，支柱８（図３参照）等に固定した後には、この壁パネル１０Ａに隣接する扉枠１１Ｂを、図５中に示した矢印の如く、先に取り付けた壁パネル１０Ａ側に向けて押し、扉枠１１Ｂの切欠き１４（図３参照）に壁パネル１０Ａの端部をはめ込むようにする。次いで設置する壁パネル１０Ｃ，扉枠１１Ｄについても、同様に一方向に押し込むようにしてこれを所定の位置に建て込んでいくようにする。
【００２２】
また、図１に示したように、住戸内廊下Ｃの壁だけでなく、周囲の各部屋Ｒを仕切る壁１５についても、同様にして予め所定形状にユニット化された壁パネルの設置を行っていく。
【００２３】
次いで、図６に示すように、壁面に取り付けるコンセントや照明スイッチ用等の住戸内の強電および弱電の配線１６を配設する。この配線１６は、壁パネル１０の配線用取付具１３に係止させるようにする。
【００２４】
［天井ユニットの設置・配線配管］
図７に示すように、住戸内廊下Ｃの両側の壁を構成する壁パネル１０の設置後、天井を構成する天井ユニット１７の設置を行う。
天井ユニット１７は、先行して取り付けを行う先付けユニット（先付け天井ユニット）１７Ａと、後行して取り付けを行う後付けユニット（先付け天井ユニット）１７Ｂとからなり、先付けユニット１７Ａは、その長さ（住戸内廊下Ｃが連続する方向における寸法）が後付けユニット１７Ｂの長さよりも十分に短くなるよう設定されている。
【００２５】
図６に示したように、まず、複数枚の先付けユニット１７Ａを、住戸内廊下Ｃが連続する方向において所定間隔（後付けユニット１７Ｂの長さ寸法）をあけて所定の高さに取り付けていく。その取付は、先付けユニット１７Ａの両端部を、壁パネル１０に釘等の各種接合手段を用いて固定することにより行う。
【００２６】
次いで、図１に示したように、共用廊下Ｔから各住戸Ｊ内に引き込まれるメインの配線配管作業を行うが、これに先立ち、特にガス・給水等の配管が集中し、分岐箇所が多い洗面Ｒ１やトイレＲ２の入り口部分に、この部分の天井を構成する天井ユニットを仮置き天井ユニット１９として先に設置する。
【００２７】
そして、図８に示すように、この仮置き天井ユニット１９の上面に、とぐろ状に束ねて巻かれているリール２０を置く。
仮置き天井ユニット１９から各部屋Ｒ側においては、仮置き天井ユニット１９上のリール２０から配線や配管（配線，配管）２１を巻き出していき、照明やコンセント用等の配線を行う。
一方、仮置き天井ユニット１９から住戸内廊下Ｃ側においては、洗面Ｒ１，トイレＲ２の入り口の扉枠１１の上部の開口部２２から、図６に示したように、先付けユニット１７Ａ，１７Ａ，…の上部空間に配線や配管２１を通す。
このとき、仮置き天井ユニット１９と、先付けユニット１７Ａ，１７Ａ，…とは略同レベルであるので、天井ユニット１７上に置かれたリール２０から巻き出した配線や配管２１には、余分な引張力等がかからないようになっている。
【００２８】
この後、図７に示したように、住戸内廊下Ｃの後付けユニット１７Ｂの取り付けを行う。図９に示すように、後付けユニット１７Ｂは、住戸内廊下Ｃの天井面を形成する天井フレーム２５に、配線や配管２１を固定するための配管用サドル（サドル）２６が取り付けられたものである。
後付けユニット１７Ｂを先付けユニット１７Ａ，１７Ａ間に取付固定した後、図１０に示すように、既に仮配管した各配線や配管２１を配管用サドル２６にはめ込む。この後、天井フレーム２５に所定のボード等の仕上げ材を貼り付ける。
【００２９】
図１１に示すように、さらに、壁パネル１０の裏面側に、住戸内廊下Ｃに隣接する各部屋Ｒの壁面を構成する壁面ボード１２を、ビス等の接合手段を用いて壁パネル１０の下地材１０ｂに固定する。
【００３０】
これにより、住戸内廊下Ｃの天井ユニット１７の取付、および配線配管作業が全て完了し、住戸内廊下Ｃが完成することとなる。
【００３１】
なお、住戸内廊下Ｃ以外の部分、例えばユニットバス、トイレ、キッチンユニット等の什器類の設置、各部屋Ｒの内装施工等については、住戸内廊下Ｃの施工の進捗に対応させて支障のないよう、所要のタイミングで施工を行っていく。
【００３２】
上述したように、一方向に連続してその天井裏に各住戸Ｊにおけるメインの配線配管が集中する住戸内廊下Ｃを施工するには、壁パネル１０を設置した後、天井を形成する先付けユニット１７Ａを所定間隔ごとに設置し、これら先付けユニット１７Ａ上に配線や配管２１を通し、しかる後に先付けユニット１７Ａ，１７Ａ間に後付けユニット１７Ｂを設置する構成とした。このようにして住戸内廊下Ｃの内装を壁パネル１０や天井ユニット１７でユニット化を図ることにより、住戸内廊下Ｃの内装および設備の施工をシステマティックに行うことができ、施工効率を高めることができる。しかも、住戸内廊下Ｃの天井裏を通るメインの配線や配管２１については、壁パネル１０や天井ユニット１７の建て込み作業を行う多能工が一括して行うことができ、各部屋Ｒにおける給湯設備やガス設備等へのつなぎ込みのみそれぞれ専門の業者が行えばよいので、この点においても施工効率を高めることができ、工期短縮および工費削減を図ることができる。
【００３３】
壁パネル１０が、下地材１０ｂを壁面ボード１０ａに予め一体に取り付けてなる構成からなり、壁パネル１０を設置した後には、壁内に配線等を行い、しかる後に壁の他面側を形成する壁面ボード１２を壁パネル１０に取り付ける構成となっている。これにより、壁パネル１０を固定するための最低限の支柱８を設けるのみでよく、現場における下地材の設置作業を削減することができ、壁や天井の施工の効率化を図ることができる。
【００３４】
さらに、壁パネル１０を設置するに際しては、壁パネル１０や扉枠１１を、住戸内廊下Ｃの一端側から他端側に向けて順次片押しで組み付けていく構成とした。これにより、ユニット化した壁パネル１０や扉枠１１を効率よく組み立てることができる。
【００３５】
加えて、天井ユニット１７の後付けユニット１７Ｂは、天井面を形成する天井フレーム２５と、その上面側に配管や配管２１を固定する配管用サドル２６とを一体に備えた構成となっている。これにより、配線や配管２１を天井裏のスペースに仮配管し、これを天井ユニット１７の配管用サドル２６にはめ込むことにより、配管作業を容易かつ確実に行うことが可能となる。
【００３６】
さらには、配線や配管２１を配設するときには、配線や配管２１が集中して分岐が多い洗面Ｒ１やトイレＲ２の入り口部分に仮置き天井ユニット１９を設置し、この仮置き天井ユニット１９の上面にリール２０等を載置し、配線や配管２１等をここから巻き出していく構成とした。従来は配線や配管の巻き出し作業は床上で行っており、これにより、配線や配管２１等に引張力が作用したり、またその引張力により組み立てた下地材等が破損したりすることがある。これに対し、前記構成によれば、天井レベルに仮置き天井ユニット１９を設置することにより、仮置き天井ユニット１９と先付けユニット１７Ａ，１７Ａ，…とが略同レベルとなり、天井ユニット１７上に置かれたリール２０から巻き出した配線や配管２１には、余分な引張力等がかからず、施工を円滑かつ確実に行うことができる。しかも住戸内廊下Ｃ側においては、メインの各配線や配管２１をそのまま共用廊下Ｔ側に引き込めばよいので、作業も容易に行うことができる。また、この仮置き天井ユニット１９は、この部分の天井を構成する天井ユニットにより形成されているので、配線配管作業の完了後にはそのまま本設材となり、施工の手間を省くことができる。
【００３７】
なお、上記実施の形態において、本発明にかかる内装設備の施工工法を、例えばマンションの各住戸Ｊ内の住戸内廊下Ｃに適用する構成としたが、もちろんその間取りについては前記したものに何ら限定するものではないのは言うまでもなく、また、一方向に連続する空間であって、かつ天井裏に配線や配管等が集中する空間であれば、住戸内廊下に沿って複数の部屋が位置するマンションの外廊下や、ホテル内の廊下等、他の空間にも全く同様に適用することが可能である。
【００３８】
また、住戸内廊下Ｃを構成する各部材の具体的な構成、例えば壁パネル１０や扉枠１１、天井ユニット１７の構造や形状，材質等については何ら問うものではない。
【００３９】
また、上記実施の形態において、扉枠１１を住戸内廊下Ｃの天井レベルの高さを有するものとしたが、もちろんそれよりも低くても何ら問題はなく、その場合は扉枠１１の上部に天井ユニット１７との隙間を塞ぐパネル等を設置すればよい。
【００４０】
さらに、天井ユニット１７の上方の空間に配設される配線や配管２１は、前記したような電気、ガス、水道等のみに限らず、例えば換気用のダクト等にも全く同様に適用することができる。
【００４１】
これ以外にも、本発明の主旨を逸脱しない範囲内であれば、いかなる構成を採用しても良く、また上記したような構成を適宜選択的に組み合わせたものとしても良いのは言うまでもない。
【００４２】
【発明の効果】
以上説明したように、請求項１に係る内装設備の施工工法によれば、廊下等、一方向に連続する空間の壁を形成する壁パネルを所定の位置に設置する第一の工程と、一方向への長さ寸法が後付け天井ユニットよりも短い先付け天井ユニットを所定間隔ごとに壁パネルに設置する第二の工程と、洗面やトイレの入り口部分に仮置き天井ユニットを設置し、次いで配管配線を束ねて巻いたリールを仮置き天井ユニット上に載置して、仮置き天井ユニット上のリールから配管等を巻き出して先付け天井ユニットの上面側に配管等を通す第三の工程と、互いに前後する先付け天井ユニット間に後付け天井ユニットを取り付ける第四の工程とからなる構成となっている。このようにして、廊下等の一方向に連続する空間の施工をシステマティックに行うことができ、施工効率を高めることができる。しかも、廊下の天井裏を通るメインの配線や配管については、壁パネルや天井ユニットの建て込み作業を行う多能工が一括して行うことができ、各室における給湯設備やガス設備等へのつなぎ込みのみそれぞれ専門の業者が行えばよいので、この点においても施工効率を高めることができ、工期短縮および工費削減を図ることができる。また、配管等を配設するときには、洗面やトイレの入り口部分に仮置き天井ユニットを設置し、この仮置き天井ユニット上にリールを載置し、このリールから配管等を巻き出していく構成となっている。これにより、作業を容易に行うことができる。
【００４３】
請求項２に係る内装設備の施工工法によれば、壁パネルが、下地材を壁の一面側を形成するボードに予め一体に取り付けた構成からなり、第一の工程で壁パネルを設置した後には、壁内に配線等を行い、しかる後に壁の他面側を形成するボードを壁パネルに取り付ける構成となっている。これにより、壁パネルを固定するための最低限の支柱を設けるのみでよく、下地材の設置作業を削減することができ、壁や天井の施工の効率化を図ることができる。
【００４４】
請求項３に係る内装設備の施工工法によれば、第一の工程で壁パネルを設置するに際しては、壁パネルや、出入口や開口部等を形成する枠体を、空間の一端側から他端側に向けて順次組み付けていく構成となっている。これにより、ユニット化した壁パネルや枠体を効率よく組み立てることができる。
【図面の簡単な説明】
【図１】  本発明に係る内装設備の施工工法を適用する空間の一例であって、マンション等の住戸の廊下を示す平面レイアウト図である。
【図２】  前記廊下の内装設備の施工工程を示す図であって、壁パネルを取り付ける状態を示す斜視図である。
【図３】  前記廊下の壁を示す平断面図である。
【図４】  同壁の立面図である。
【図５】  前記壁パネルや扉枠の取付方法を示す図である。
【図６】  前記廊下の内装設備の施工工程を示す図であって、先付け天井ユニットを取り付け、配線や配管を通した状態を示す斜視図である。
【図７】  同、後付け天井ユニットを取り付ける状態を示す斜視図である。
【図８】  同、配線や配管の配設方法を示す斜視図である。
【図９】  前記後付け天井ユニットを示す斜視図である。
【図１０】  前記廊下の内装設備の施工工程を示す図であって、天井ユニットの取り付けた完了した状態を示す斜視図である。
【図１１】  同、壁パネルの他面側に壁面を構成するボードを取り付ける状態を示す斜視図である。
【符号の説明】
１０  壁パネル
１０ａ  壁面ボード（ボード）
１０ｂ  下地材
１１  扉枠
１７  天井ユニット
１７Ａ  先付けユニット（先付け天井ユニット）
１７Ｂ  後付けユニット（後付け天井ユニット）
２１  配線や配管（配線，配管）
２５  天井フレーム
２６  配管用サドル（サドル）
Ｃ  住戸内廊下（空間）
【図１】
0003713652.tif 000002
【図２】
0003713652.tif 000003
【図３】
0003713652.tif 000004
【図４】
0003713652.tif 000005
【図５】
0003713652.tif 000006
【図６】
0003713652.tif 000007
【図７】
0003713652.tif 000008
【図８】
0003713652.tif 000009
【図９】
0003713652.tif 000010
【図１０】
0003713652.tif 000011
【図１１】
0003713652.tif 000012